(57)【要約】      （修正有）【課題】外部電子装置５０への給電、及び外部直流電源からの入力による充電を同時に行うことができる、掌型交流／直流ポータブル電源を提供する。【解決手段】少なくとも一つの電気回路ユニット１０と、少なくとも一つの充電電池３０とからなる。電気回路ユニットは、電圧変換電子回路１１と、少なくとも一つの交流電気出力ポート１２と、少なくとも一つの直流電気入力／出力ポート１３と、少なくとも一つの連結ポート１４とからなる。充電電池は、連結ポートと連結され、直流電気入力／出力ポートに接続された外部直流電源により充電される。また、充電電池の直流電気は、連結ポートを経由して電気回路ユニットへ出力された後、第一支路及び第二支路に分かれる。第一支路は、電圧変換電子回路を経由することにより、直流電気の電圧が所定の交流電圧に変換されて、交流電気出力ポートへ出力される。第二支路は、直流電気入力／出力ポートを経由して出力される。【選択図】図４
0003188034.tif 000002
【実用新案登録請求の範囲】
【請求項１】
少なくとも一つの電気回路ユニットと、少なくとも一つの充電電池とからなる、掌型交流／直流ポータブル電源であって、
前記電気回路ユニットは、電圧変換電子回路と、少なくとも一つの交流電気出力ポートと、少なくとも一つの直流電気入力／出力ポートと、少なくとも一つの連結ポートとからなり、
前記充電電池は、前記連結ポートと連結され、前記充電電池の直流電気は、前記連結ポートを経由して前記電気回路ユニットへ出力された後、第一支路及び第二支路に分かれ、
前記第一支路は、前記電圧変換電子回路を経由することにより、直流電気の電圧が所定の交流電圧に変換されて、前記交流電気出力ポートへ出力され、
前記第二支路は、前記直流電気入力／出力ポートを経由して出力され、
以上の構造により、
交流電気及び直流電気を少なくとも一つの外部電子装置に提供し、
これと同時に、前記直流電気入力／出力ポートと連結された外部直流電源からの入力によって前記充電電池を充電することを特徴とする、掌型交流／直流ポータブル電源。
【請求項２】
前記電圧変換電子回路及び前記交流電気出力ポートは、取り外し可能なモジュールであることを特徴とする、請求項１に記載の掌型交流／直流ポータブル電源。
【請求項３】
前記掌型交流／直流ポータブル電源には、さらに一つのケース体が設けられ、
前記ケース体の表面には、複数の開口が設けられ、
前記ケース体の内部には、各前記開口と連通した収容スペースが設けられて前記電気回路ユニットを収容し、
前記電気回路ユニットの前記交流電気出力ポートと前記直流電気入力／出力ポートと前記連結ポートは、それぞれ前記ケース体の各開口に設けられることを特徴とする、請求項１に記載の掌型交流／直流ポータブル電源。
【請求項４】
前記交流電気出力ポートは、ＡＣ差込口であり、
前記直流電気入力／出力ポートは、ＤＣ差込口或いはＵＳＢ差込口であることを特徴とする、請求項１に記載の掌型交流／直流ポータブル電源。
【考案の詳細な説明】
【技術分野】
【０００１】
本考案は、ポータブル電源に関し、特に直流（ＤＣ）を交流（ＡＣ）に変換するとともに、交流（ＡＣ）出力及び直流（ＤＣ）入力／出力ポートとしての機能を兼ね備えた、掌型交流／直流ポータブル電源に関する。
【背景技術】
【０００２】
市販のモバイル電源を例に取ると、９５％以上の場合、従来のモバイル電源は、電力出力にＵＳＢ差込口を使用するとともに、電圧／電流によって分けられ、それぞれ例えば携帯電話或いは動作電圧が５Ｖまでのタブレット型パソコンに電源を供給する。しかし、より高い出力電圧（５Ｖ以上或いは交流ＡＣ電源）を求める使用者にとって、大部分の既存のモバイル電源の規格は、より高い電圧／電流出力を提供することができないため、動作電圧が５Ｖ以上の例えばノート型パソコン等の電子製品や、その他のモバイル型電子装置に使用することができない。市販の高機能モバイル電源の一部は、数種の高電圧を出力することができるものの、直流ＤＣ電圧に設定或いは調整しなければならず、もし電圧設定を間違えた場合、機器が燃えてしまう可能性が非常に高い。また、該当するメーカー専用の変換アダプターに取替えて充電しなければならず、商品によって異なるメーカー専用の変換アダプターを保管しなければならない。また、その他の非主流メーカーの製品は、専用変換アダプターがないため使用することができず、使用において極めて不便である。
【０００３】
（１）９５％の市販のモバイル電源は、いずれも内蔵固定式を採用しており電池を取り外すことができないため、環境によくないことに加え、無限に電力を供給することができない。
【０００４】
（２）従来のモバイル電源は、電池の直列配列による充放電を管理する技術がネックとなって制限されるため、安全で信頼性があり且つコストパフォーマンスが高い高直流電圧（＞ＤＣ５Ｖ）を出力することができず、さらに効率良く直流から交流へ変換する機能を提供することができない。
【０００５】
（３）ノート型・タブレット型等のパソコンのＤＣインターフェイスは各々規格が異なり、大多数の市販のモバイル電源は、電圧が低すぎて充電することができず、少数の充電可能なモバイル電源は、使用が複雑且つ安全ではない。
【０００６】
（４）市販のモバイル電源は、停電時にＡＣ電源の予備電源を提供することができない。
【０００７】
（５）従来、ＡＣ電源を提供できるのは、鉛酸電池を使用したモバイル電源だけであり、嵩張って重いため持ち運びが不便で、電池の取替えがしにくく、且つ高価格である。
【考案の概要】
【考案が解決しようとする課題】
【０００８】
上述の欠点に鑑み、本考案は、少なくとも一つの交流電気出力ポートと、少なくとも一つの直流電気入力／出力ポートとによって、それぞれデジタル電化製品或いはその他の商品に電力を供給することにより、各層の使用者の各種需要を満たすことができる、掌型交流／直流ポータブル電源を提供することを目的とする。
【０００９】
また、本考案は、多様化及び利便性によって、電池モジュールが故障或いは老朽化した場合に交換可能であるとともに、環境保護及び資源リサイクルというエコ志向を考慮した、掌型交流／直流ポータブル電源を提供することを目的とする。
【課題を解決するための手段】
【００１０】
上述の目的を達成するため、本考案の掌型交流／直流ポータブル電源は、少なくとも一つの電気回路ユニットと、少なくとも一つの充電電池とからなる。前記電気回路ユニットは、電圧変換電子回路と、少なくとも一つの交流電気出力ポートと、少なくとも一つの直流電気入力／出力ポートと、少なくとも一つの連結ポートとからなる。前記充電電池は、連結ポートと連結される。充電電池の直流電気は、連結ポートを経由して電気回路ユニットへ出力された後、第一支路及び第二支路に分かれる。第一支路は、電圧変換電子回路を経由することにより、直流電気の電圧が所定の交流電圧に変換されて、交流電気出力ポートへ出力される。第二支路は、直流電気入力／出力ポートを経由して出力される。
【考案の効果】
【００１１】
以上の構造により、交流電気及び直流電気を少なくとも一つの外部電子装置に提供し、これと同時に、直流電気入力／出力ポートと連結された外部直流電源からの入力によって充電電池を充電することができる。
【図面の簡単な説明】
【００１２】
【図１】本考案の掌型交流／直流ポータブル電源の斜視外観図である。
【図２】本考案の掌型交流／直流ポータブル電源の斜視分解図である。
【図３】本考案の掌型交流／直流ポータブル電源の充電状態を示したブロック図である。
【図４】本考案の掌型交流／直流ポータブル電源の放電状態を示したブロック図である。
【図５】本考案の掌型交流／直流ポータブル電源が充放電を同時に行っている状態を示したブロック図である。
【考案を実施するための形態】
【００１３】
まず、図１及び図２を参照する。本考案の掌型交流／直流ポータブル電源１は、少なくとも一つの電気回路ユニット１０と、一つのケース体２０と、少なくとも一つの充電電池３０とからなる。
【００１４】
電気回路ユニット１０は、電圧変換電子回路１１と、少なくとも一つの交流電気出力ポート１２と、少なくとも一つの直流電気入力／出力ポート１３と、少なくとも一つの連結ポート１４とからなる。
【００１５】
ケース体２０の表面には、少なくとも一つの開口２１が設けられ、開口２１の数量は交流電気出力ポート１２と直流電気入力／出力ポート１３と連結ポート１４の数量にそれぞれ対応する。また、ケース体２０の内部には、各開口２１と連通した収容スペース（図示せず）が設けられ、電気回路ユニット１０がケース体２０の収容スペース内に取り付けられる。電気回路ユニット１０の交流電気出力ポート１２と直流電気入力／出力ポート１３と連結ポート１４は、ケース体２０の各開口２１にそれぞれ設けられる。
【００１６】
充電電池３０は、連結ポート１４と連結される。
【００１７】
図３を参照する。本考案の掌型交流／直流ポータブル電源１における充電電池３０を充電する時、上述した直流電気入力／出力ポート１３と連結された外部直流電源４０が入力を行い、外部直流電源４０は電気回路ユニット１０を経由して連結ポート１４に達する。以上により、充電電池３０を充電する。
【００１８】
図４を参照する。本考案の掌型交流／直流ポータブル電源１を使用する時、充電電池３０の直流電気は連結ポート１４を経由して電気回路ユニット１０へ出力された後、第一支路Ａ及び一第二支路Ｂに分かれる。第一支路Ａは、電圧変換電子回路１１を経由して、充電電池３０の直流電圧を所定の交流電圧に変換するとともに、交流電気出力ポート１２へ出力する。第二支路Ｂは、直流電気入力／出力ポート１３を経由して出力される。以上により、第一支路Ａ及び第二支路Ｂは、それぞれ同時に交流電気及び直流電気を外部電子装置５０に提供し、給電或いは充電の目的を達成することができる。
【００１９】
図５を参照する。図は、本考案において、充放電を同時に行っている状態を示したブロック図である。本考案の掌型交流／直流ポータブル電源１を充電する時、同時に放電して、電気的に接続された外部電子装置５０への給電（充電）を行うこともできる。外部直流電源４０は直流電気入力／出力ポート１３を通って入力された後、電気回路ユニット１０を経由して、連結ポート１４に供給されて充電電池３０を充電する。一方、これと同時に、電気回路ユニット１０は電圧変換電子回路１１によって外部直流電源４０を所定の交流電源の電圧に変換するとともに、交流電気出力ポート１２へ伝送し、外部電子装置５０への給電（充電）を行う。
【００２０】
上述した交流電気出力ポート１２は、国際共通型のＡＣ差込口であり、直流電気入力／出力ポート１３は、各種規格のＤＣ差込口或いは各種規格のＵＳＢ差込口である。
【００２１】
また、前述した電圧変換電子回路１１及び交流電気出力ポート１２は、取り外し可能なモジュールであり、使用者は必要に応じて交流電気出力ポート１２を使用するか、或いは電圧変換電子回路１１及び交流電気出力ポート１２を取り外すかを選択した上で、外部電子装置５０に取り付けることができるため、本考案は使用上の柔軟性を備えている。
【符号の説明】
【００２２】
１            掌型交流／直流ポータブル電源
１０   電気回路ユニット
１１   電圧変換電子回路
１２   交流電気出力ポート
１３   直流電気入力／出力ポート
１４   連結ポート
２０   ケース体
２１   開口
３０   充電電池
４０   外部直流電源
５０   外部電子装置
Ａ            第一支路
Ｂ            第二支路
【図１】
0003188034.tif 000003
【図２】
0003188034.tif 000004
【図３】
0003188034.tif 000005
【図４】
0003188034.tif 000006
【図５】
0003188034.tif 000007